(57)【要約】【課題】液晶パネルの周縁部においてハレーションが発生するのを防止することが可能な液晶表示装置を提供すること。【解決手段】液晶表示装置１００の液晶パネル２と光学シート積層体４との間に設けられたミドルフレーム３の内面には、段差部１３が設けられている。これにより、観察者が斜め角度から液晶パネル２の周縁部を観察した場合でもその周縁部にＬＥＤ２１からの光を供給し、周縁部の映像が不自然に暗くなるのを防止している。そして、段差部１３の平面部１３ａには黒色テープ１４が貼付されている。これにより、光学シート積層体４から平面部１３ａに向かう光が黒色テープ１４により吸収されるため、光学シート積層体４からの光が平面部１３ａに反射して光学シート積層体４に当たりハレーションが発生してしまうのを防ぐことができる。【選択図】  図２
2008145655.tif 000002
【特許請求の範囲】
【請求項１】
光源と、
前記光源と対向するように設けられ、前記光源から出射された光を拡散して出射させる拡散板と、
前記拡散板の前記出射方向において前記拡散板に積層され、前記拡散板から出射された光に所定の光学変換処理を施して出射させる光学シートと、
前記光学シートの前記出射方向に設けられ、前記光学シートから出射された光の透過率を変化させることで映像を表示可能な液晶パネルと、
前記光学シートと前記液晶パネルとの間に設けられ、第１の面積を有する第１の開口を有し前記液晶パネルを支持する上面と、前記第１の面積よりも大きい第２の面積を有する第２の開口を有し前記光学シートを支持する下面と、当該第１の開口と第２の開口とを繋ぐ内面とを有するフレーム部材と、
前記フレーム部材の少なくとも前記内面に設けられ、前記光学シートから出射された光のうち前記内面へ向かう光を吸収する光吸収部と
を具備することを特徴とする液晶表示装置。
【請求項２】
請求項１に記載の液晶表示装置であって、
前記光吸収部は、前記内面に貼付された黒色テープ材であることを特徴とする液晶表示装置。
【請求項３】
請求項１に記載の液晶表示装置であって、
前記光吸収部は、前記内面に塗装された黒色塗装材であることを特徴とする液晶表示装置。
【請求項４】
請求項１に記載の液晶表示装置であって、
前記光吸収部は、前記フレーム部材に含まれる黒色樹脂であることを特徴とする液晶表示装置。
【請求項５】
請求項１に記載の液晶表示装置であって、
前記内面は、前記上面と下面との間に当該上面及び下面と略平行に設けられた平面部と、当該平面部と前記第１の開口とを繋ぐ第１の側面部と、当該平面部と前記第２の開口とを繋ぐ第２の側面部とを有する段差部を有し、
前記光吸収部は、前記平面部に設けられる
ことを特徴とする液晶表示装置。
【請求項６】
請求項１に記載の液晶表示装置であって、
前記内面は、前記フレーム部材の断面積が前記上面から下面に向かって徐々に小さくなるようなテーパ部を有し、
前記光吸収部は前記テーパ部に設けられる
ことを特徴とする液晶表示装置。
【請求項７】
請求項１に記載の液晶表示装置であって、
前記光吸収部は凹凸部を有することを特徴とする液晶表示装置。
【発明の詳細な説明】
【技術分野】
【０００１】
本発明は、光源として発光ダイオード（ＬＥＤ；Light Emitting Diode）やＣＣＦＬ（Cold Cathode Fluorescent Lighting；冷陰極蛍光ランプ）等を有するバックライト装置を搭載した透過型の液晶表示装置に関する。
【背景技術】
【０００２】
従来から、液晶テレビやＰＣ（Personal Computer）等の電子機器に搭載される透過型のＬＣＤ（Liquid Crystal Display；液晶ディスプレイ）においては、ＬＣＤの背面側にバックライトを配置し、当該バックライトによりＬＣＤの背面を照明することで画像を表示させている。このバックライトの光源としては、従来からＣＣＦＬが用いられている。
【０００３】
また、このＣＣＦＬに変わる光源として、近年、ＬＥＤが有望視されている。ＬＥＤを用いることで、高効率化及び高色域化が可能であり、かつ、ＣＣＦＬのように水銀を用いることがないため、環境への悪影響も失くすことができる。
【０００４】
このようなＣＣＦＬまたはＬＥＤを光源として用いた液晶表示装置は、光源から光軸方向に、反射板、拡散板、光学シート類及び液晶パネルを有し、光源から出射した光を反射板と拡散板との間で反復反射させながら拡散板へ導き、拡散板で拡散された光に対して光学シート類で光学的処理を施して、液晶パネルへ導く。また、液晶パネルと光学シート類の間にはミドルフレームが設けられ、このミドルフレームの上面及び下面によって液晶パネル及び光学シート類を固定し、液晶パネルと光学シート類との間の距離を規定している。
【０００５】
ところで、このような構成の液晶表示装置においては、特に液晶パネルが大型化すると、観察者が液晶パネルの中心から周縁部を斜めの角度（例えば４５度）から観察した場合にその周縁部の映像が暗くなってしまうのを防ぐ必要がある。このためには、バックライト装置の照明領域を液晶パネルの主面領域よりも大きくするとともに、ミドルフレームの上面と下面とを繋ぐ内面を、観察者の斜め視線方向に沿って徐々に広がるように段差状またはテーパ状（斜面状）に形成して、観察者が斜めの角度から周縁部を観察した場合にもバックライト装置の照明光を供給して観察者から映像が観察できるようにすることが考えられる。下記特許文献１には、ミドルフレームをテーパ状に形成した液晶表示装置が開示されている。
【特許文献１】特開２００２−３２２４１８号公報（図１、符号３等）
【発明の開示】
【発明が解決しようとする課題】
【０００６】
しかしながら、上記特許文献１に記載の技術においては、光学シートから出射された光が、ミドルフレームにおいて上記段差状またはテーパ状の内面に反射され、その光が光学シートへ当たることで、ハレーションが発生してしまう。液晶パネルの周縁部に対する観察者の観察角度が上述のように斜めの場合にはこのハレーションが観察者により視認されるため、この周縁部において不自然な映像を映し出すこととなり、液晶表示装置の品位を落とす結果となる。
【０００７】
以上のような事情に鑑み、本発明の目的は、液晶パネルの周縁部においてハレーションが発生するのを防止することが可能な液晶表示装置を提供することにある。
【課題を解決するための手段】
【０００８】
上述の課題を解決するため、本発明に係る液晶表示装置は、光源と、前記光源と対向するように設けられ、前記光源から出射された光を拡散して出射させる拡散板と、前記拡散板の前記出射方向において前記拡散板に積層され、前記拡散板から出射された光に所定の光学変換処理を施して出射させる光学シートと、前記光学シートの前記出射方向に設けられ、前記光学シートから出射された光の透過率を変化させることで映像を表示可能な液晶パネルと、前記光学シートと前記液晶パネルとの間に設けられ、第１の面積を有する第１の開口を有し前記液晶パネルを支持する上面と、前記第１の面積よりも大きい第２の面積を有する第２の開口を有し前記光学シートを支持する下面と、当該第１の開口と第２の開口とを繋ぐ内面とを有するフレーム部材と、前記フレーム部材の少なくとも前記内面に設けられ、前記光学シートから出射された光のうち前記内面へ向かう光を吸収する光吸収部とを具備する。
【０００９】
ここで光源とは、例えばＬＥＤやＣＣＦＬ等である。また上記光学変換処理とは、例えば拡散処理、偏光成分への分解処理、輝度向上処理、輝度均一化処理等をいう。本発明の構成によれば、上記フレーム部材において、上面の第１の開口の面積よりも下面の第２の開口の面積が大きく形成されているため、液晶パネル側から見ると、フレーム部材の内面が奥側へ向かうにしたがって広がるように形成される。これにより、液晶パネルに対する観察者の観察角度が液晶パネルの主面に対して斜めである場合にも、液晶パネルの周縁部へ光源からの光を供給して、その周縁部の映像も観察させることができる。そして、それとともに、上記フレーム部材の内面に光吸収部が設けられているため、液晶パネルを観察者が上記斜め角度で観察した場合でも、光学シートから出射した光が内面で反射して光学シートへ当たり、ハレーションが生じてしまうのを防ぐことができる。
【００１０】
上記液晶表示装置において、前記光吸収部は、前記内面に貼付された黒色テープ材であってもよい。
【００１１】
これにより、上記フレーム部材が金属や樹脂等のいかなる材料からなる場合であっても、内面に黒色テープ材を貼付するだけで光吸収部を構成でき、ハレーションの発生を防ぐことができる。なお、この黒色テープ材はつや消し加工されていることが好ましい。
【００１２】
上記液晶表示装置において、前記光吸収部は、前記内面に塗装された黒色塗装材であってもよい。
【００１３】
これにより、上記フレーム部材の内面がいかなる形状であっても内面を黒色塗装することで光吸収部を構成でき、ハレーションの発生を防ぐことができる。
【００１４】
上記液晶表示装置において、前記光吸収部は、前記フレーム部材に含まれる黒色樹脂であっても構わない。
【００１５】
これにより、フレーム部材に新たな部品を追加することなく、上記フレーム部材を製造するのと同時に光吸収部も構成することができ、ハレーションの発生を防ぐことができる。
【００１６】
上記液晶表示装置において、前記内面は、前記上面と下面との間に当該上面及び下面と略平行に設けられた平面部と、当該平面部と前記第１の開口とを繋ぐ第１の側面部と、当該平面部と前記第２の開口とを繋ぐ第２の側面部とを有する段差部を有し、前記光吸収部は、前記平面部に設けられるようにしてもよい。
【００１７】
これにより、内面を段差部とすることでフレーム部材を薄肉化して軽量化することができるとともに、上記平面部に光吸収部を設けることで、平面部で光が反射して光学シートに当たりハレーションが発生するのを防ぐことができる。
【００１８】
上記液晶表示装置において、前記内面は、前記フレーム部材の断面積が前記上面から下面に向かって徐々に小さくなるようなテーパ部を有し、前記光吸収部は前記テーパ部に設けられるようにしても構わない。
【００１９】
これにより、内面をテーパ部とすることで、観察者の観察角度に沿って光学シートからの出射光の光路を少ない工数で形成できるとともに、このテーパ部に光吸収部を設けることで、テーパ部で光が反射して光学シートに当たりハレーションが発生するのを防ぐことができる。
【００２０】
上記液晶表示装置において、前記光吸収部は凹凸部を有していてもよい。
【００２１】
これにより、仮に光吸収部において吸収されない光があったとしても、上記凹凸部によりその光を光学シート以外の方向へ散乱させることができるため、ハレーションの発生を更に確実に抑えることができる。
【発明の効果】
【００２２】
以上のように、本発明によれば、液晶パネルの周縁部においてハレーションが発生するのを防止することができる。
【発明を実施するための最良の形態】
【００２３】
以下、本発明の実施の形態を図面に基づき説明する。  
図１は、本発明の一実施形態に係るバックライト装置を有する液晶表示装置の概略分解斜視図であり、図２は、図１の液晶表示装置のＺ方向の一部断面図である。また、図３は、図１及び図２に示した液晶表示装置のバックライト装置の構成を示す一部切り欠き平面図である。
【００２４】
この液晶表示装置は、例えば４０インチ以上の大型表示画面を有するテレビジョン受像機の表示パネルに用いられるものであり、液晶パネルを背面側からバックライト装置によって照明する事で画像を表示させる透過型の液晶表示装置である。
【００２５】
両図に示すように、液晶表示装置１００は、フロントシャーシ１とバックシャーシ８とによって、液晶パネル２、ミドルフレーム３、光学シート積層体４、拡散板５、反射板６及び光源アレイ７を挟み込んで保持することで構成される。フロントシャーシ１、ミドルフレーム３及びバックシャーシ８は例えばアルミニウム等の金属製である。これらは樹脂製でもよいが、液晶表示装置１００の液晶パネル２が大型であるため、強度及び熱膨張率差等を考慮すると金属性が好ましい。
光学シート積層体４、拡散板５、反射板６、光源アレイ７及びバックシャーシ８はバックライト装置１０を形成し、液晶パネル２の背面側から表示光を供給する。
【００２６】
図２に示すように、液晶パネル２は、その外周縁部を、フロントシャーシ１の下面とミドルフレーム３の上面３ａとの間に例えばスペーサ１１やガイド部材１２等を介して支持される。液晶パネル２は、詳細は省略するが、第１ガラス基板と第２ガラス基板との間に液晶を封入し、この液晶に対して電圧を印加して液晶分子の向きを変えることで光透過率を変化させる。第１ガラス基板の内面には、ストライプ状の透明電極と、絶縁膜と、配向膜とが形成されており、第２ガラス基板の内面には、赤、緑、青（ＲＧＢ）の光３原色のカラーフィルタと、オーバーコート層と、ストライプ状の透明電極と、配向膜とが形成されている。また両ガラス基板の表面には、偏光フィルム及び位相差フィルムがそれぞれ接合される。
【００２７】
液晶パネル２においては、ポリイミドからなる配向膜が液晶分子を界面にして水平方向（両図Ｘ及びＹ方向）に配列されており、偏光フィルムと位相差フィルムとが波長特性を無彩色化、白色化して、カラーフィルタによるフルカラー化を図って画像をカラー表示する。なお、液晶パネル２はこのような構成に限定されるものではなく、従来から存在する種々の構成を備える液晶パネルを適用することができる。
【００２８】
また図１及び図２に示すように、ミドルフレーム３の上面３ａには矩形の開口４１が形成され、ミドルフレーム３の下面３ｂには同じく矩形の開口４２が形成されている。開口４２の面積は、開口４１の面積よりも大きく形成されている。
【００２９】
光学シート積層体４と拡散板５とは、両者が積層された状態で、ミドルフレーム３の下面３ｂと、バックシャーシ８に取り付けられたブラケット部材１５とによって挟み込まれるように支持される。ミドルフレーム３と光学シート積層体４との間には例えばスペーサ１１が介挿される。またブラケット部材１５と拡散板５との間には後述する反射板６のエッジ部６ｃが介挿される。
【００３０】
光学シート積層体４は、詳細は省略するが、例えば光源アレイ７側から出射され液晶パネル２に供給される表示光を直交する偏光成分に分解するための偏光変換シートや、光波の位相差を補償して広角視野角化や着色防止を図るための位相差シート（フィルム）、表示光を拡散させて輝度の均一化を図るための拡散シートやプリズムシート等の所定の光学機能を奏する複数の光学機能シートが積層されて構成される。
【００３１】
拡散板５は、一方の主面側（光源アレイ７側）から入射した表示光の一部を光源アレイ７側へ反射させるとともに、表示光の一部を透過させて内部において屈折、反射させて拡散させることにより、他方の主面側から全面に亘って均一な状態で光学シート積層体４へと入射させる。
【００３２】
ところで、液晶表示装置１００においては、観察者が液晶パネル２の中心から周縁部を斜めの角度（例えば４５度）から観察した場合にその周縁部の映像が暗くなってしまうのを防ぐ必要がある。本実施形態の液晶表示装置１００のように表示画面が大型化するほどその必要性は高まる。そのため、上記ミドルフレーム３には、その上面３ａの開口４１と下面３ｂの開口４２とを繋ぐ内面が、観察者の観察角度に沿って奥へ向かうにしたがって広がるように、段差部１３が設けられており、観察者がどの角度から液晶パネル２を観察してもバックライト装置１０の照明光を得て映像が観察できるようにしている。
【００３３】
この段差部１３は、液晶パネル２の主面と略平行な平面部１３ａと、この平面部１３ａと上面３ａの開口４１とを繋ぐ側面部１３ｂと、この平面部１３ａと下面３ｂの開口４２とを繋ぐ側面部１３ｃで構成される。しかしながら、この平面部１３ａにバックライト装置１０から拡散板５及び光学シート積層体４を介して出射した光が反射すると、その反射光が光学シート積層体４に当たることで、ハレーション（ミドルフレーム３の形状に沿った額縁状の反射）が生じてしまう場合がある。
【００３４】
例えば、図２に示すように、観察者が観察角度ａにより液晶パネル２の周縁部を観察する場合には、液晶パネル２の主面に対して垂直方向からの観察であるため、上記のようなハレーションは観察者からは視認できないが、観察者が観察角度ｂのように、液晶パネル２の周縁部を斜めの角度から観察する場合には、上記ハレーションが観察者から視認されてしまう。このようなハレーションは、不自然な画像を映し出し、液晶表示装置１００としての品位を落としてしまうことになる。
【００３５】
そこで、本実施形態においては、上記平面部１３ａに、つや消し加工された黒色テープ１４を貼付している。これにより、光学シート積層体４の中央部から出射した光は同図の実線矢印Ａに示すように液晶パネル２へ達する一方で、光学シート積層体４の周縁部から出射し段差部１３側へ入射した光は、同図の波線矢印Ｂで示すように、黒色テープ１４により吸収され、光学シート積層体４へ当たることがないため、ハレーションの無い高品位の液晶表示装置１００を提供することができる。
【００３６】
なお、本発明者等は、上記ハレーションの防止策として上記ミドルフレーム３の内面の条件を種々変更してシミュレーションを行った。図５は、そのシミュレーション結果を示した図である。
【００３７】
ハレーションを防止するためにはミドルフレーム３における光の鏡面反射を無くす必要がある。そこで本発明者等は、その対策案として、（１）光が反射される角度を変更する、（２）光を散乱させる、（３）光を吸収させる、という３つを考え、それぞれの対策案についてシミュレーションを行った。
【００３８】
同図において、（ａ）及び（ｄ）は、上記内面に何の対策も施さなかった場合、（ｂ）は、上記対策案（１）の具体例としてミドルフレーム３の内面をテーパ状に形成した場合、（ｃ）は上記対策案（３）の具体例として上記段差部１３の平面部１３ａに黒色テープ１４を貼付した場合、（ｅ）は上記対策案（２）の具体例として上記平面部１３ａに凹凸のあるシートを貼付した場合の各場合における光学シート積層体４の表面の様子を示している。
【００３９】
同図に示すように、（ａ）及び（ｄ）の場合には一様にハレーションが発生し、また（ｂ）及び（ｅ）の場合にも、程度は緩和されるもののハレーションが発生した。しかし、（ｃ）の場合にはハレーションの無い良好な状態となった。
【００４０】
以上の結果に基づき、本発明者等は、上記平面部１３ａに黒色テープ１４を貼付してハレーションを防止することとした。
【００４１】
図３に示すように、光源アレイ７は、水平方向（同図Ｘ方向）に向かう長尺状を有し、バックシャーシ８の底面に、同図Ｙ方向に沿って所定間隔を置いて複数行並べられている。本実施形態においては、光源アレイ７は１２行設けられるが、もちろんこの数に限られるものではない。なお、図３においては、バックライト装置１０のうち、ミドルフレーム３、光学シート積層体４及び拡散板５を除いた状態を示している。
【００４２】
図２及び図３に示すように、各光源アレイ７は、金属製のアレイベース１６と、このアレイベース１６の凹部１６ａに複数並べられた光源装置２０とを有する。１つのアレイベース１６に並べられる光源装置２０の数は例えば４個であるがこの数に限られない。光源装置２０と、アレイベース１６及びバックシャーシ８とが例えば螺着されることで、光源アレイ７がバックシャーシ８の底面に固定される。
【００４３】
各光源装置２０は、配線基板２２と、この配線基板２２上に実装された複数のＬＥＤユニット２５、入力用コネクタ１８及び出力用コネクタ１９を有する。配線基板２２の材料としては、コストダウンのため、アルミ等の金属ではなく、例えばガラスエポキシ樹脂等の樹脂を用いている。
【００４４】
図４は、上記バックライト装置１０の、上記図３の破線Ａで囲んだ部分の拡大図である。同図及び図３に示すように、各ＬＥＤユニット２５は、複数のＬＥＤ２１が一ユニットとして非線状（十字状）に近接して構成され、１つの光源装置２０にはこのＬＥＤユニット２５が複数設けられる。各ＬＥＤユニット２５の各ＬＥＤ２１は、配線基板２２の表面からＺ方向に突出するように設けられる。具体的には、例えばＸ方向にそれぞれ一つ設けられた赤色ＬＥＤ２１ａ及び青色ＬＥＤ２１ｂと、Ｙ方向に設けられた２つの緑色ＬＥＤ２１ｃ及び２１ｄとが十字状に配置されることで１つのＬＥＤユニット２５が構成される。ただし、左端及び右端のＬＥＤユニット２５については、ＸＹ方向における十字状ではなく斜め方向にずれて配置され、また左右のＬＥＤユニット２５でその配置は対称的となっている。そして、このＬＥＤユニット２５が１つの光源装置２０の配線基板２２上の長手方向（Ｘ方向）に所定間隔（例えば６０ｍｍ）を置いて例えば６ユニット並べられる。したがって、本実施形態のバックライト装置１０においては、ＬＥＤユニット２５は６×４×１２＝２８８ユニット設けられ、ＬＥＤ２１は４×２８８＝１１５２個設けられることとなる。なお、ＬＥＤユニット２５及びＬＥＤ２１の数や配置間隔は、上述しまたは図示したものに限られるものではなく、液晶パネル２のサイズやＬＥＤ２１の発光能力等によって適宜変更可能である。
【００４５】
各ＬＥＤ２１は、詳細は省略するが、例えば発光部を樹脂ホルダによって保持するとともに、樹脂ホルダから一対の端子を引き出して構成される。各ＬＥＤ２１には、出射光の主成分を発光部の外周方向に出射する指向性を有するいわゆるサイドエミッション型のＬＥＤが用いられている。
【００４６】
各光源装置２０の配線基板２２は全て同一仕様で形成されており、図示しないが、各配線基板２２に各ＬＥＤユニット２５の各色のＬＥＤ２１をシリーズで接続する配線パターンや各ＬＥＤ２１の端子を接続するランド等が形成されている。また、各配線基板２２の、各ＬＥＤ２１の下方に位置する部分には、Ｚ方向に貫通するサーマルビアが設けられている。このサーマルビアにより、各ＬＥＤ２１から発生する熱をアレイベース１６へ伝導して放熱することが可能となっている。また、各配線基板２２には、短手方向（Ｙ方向）の一側部でかつ長手方向（Ｘ方向）の一方側端部に入力用コネクタ１８が実装されるとともに、他方側端部に出力用コネクタ１９が実装されている。
【００４７】
なお、図２に示すように、この各配線基板２２とアレイベース１６との間には、粘着材２３が設けられており、この粘着材２３を介して配線基板２２をアレイベース１６側へ規定荷重で押し付けることで両者が固定される。この粘着材２３は、絶縁体であり、熱伝導性の高い材料が用いられる。この粘着材２３としては、粘着性を有する絶縁物を用いてもよいし、粘着性を有しない絶縁物の両面に粘着材を塗布したものを用いても構わない。上述したように、配線基板２２にはＬＥＤ２１からの伝熱用のサーマルビアが設けられているが、このサーマルビアは銅めっき等により導電化もされており、アレイベース１６は導電体であるため、配線基板２２とアレイベース１６との間には絶縁体が必要となる。上記粘着材２３を用いることで、絶縁性を保ちながら、ＬＥＤ２１から発生する熱をアレイベース１６にむら無く均一に伝導させて効率よく放熱しながら、各ＬＥＤ２１の温度差を低減することができる。またこのような構成を安価で実現することができる。更に、配線基板２２とアレイベース１６とをネジ止めする必要がないため、製造時の工数を低減することもできる。
【００４８】
図２に示すように、各配線基板２２の表面には、白色ソルダーレジスト６１が塗布されている。この白色ソルダーレジスト６１には、光を効率よく反射する高光反射性材料が含まれる。高光反射性材料としては、例えば微細な酸化チタン（ＴｉＯ２）や硫酸バリウム（ＢａＴｉＯ３）等の無機材料や、光散乱のための無数の穴を有する微細な多気質アクリル、ポリカーボネート等の有機材料等が好適に用いられる。
【００４９】
従来の配線基板では、緑色や黄色、黒色等のソルダーレジストが塗布されているのが一般的である。しかし、上述のように、上記反射板６に設けられた各開口６ｄの径ｄ２は、各ＬＥＤ２１の径ｄ１に比べて一回り大きく形成されているため、配線基板のソルダーレジストを緑色や黄色及び黒色等にした場合、各ＬＥＤ２１と各開口６ｄとの間のクリアランス７１に光が入射してしまうと、ソルダーレジスト部分にその光が吸収されてしまい、結果としてＬＥＤ２１からの光を損失してしまうことになる。
【００５０】
そこで、本実施形態においては配線基板２２に高光反射性材料を含む白色ソルダーレジスト６１を塗布することで、ＬＥＤ２１から出射され拡散板５から反射板６側に反射してきた光や、反射板６で反射され再度拡散板５から反射板６側へ反射してきた光が、ＬＥＤ２１と開口６ｄとの間のクリアランス７１に入射しても、白色ソルダーレジスト６１によりその光を拡散板５側へ反射させるようにしている。これにより、光の損失による輝度むらを最小限に抑えることができる。
【００５１】
各光源アレイ７は、上述したように、各光源装置２０が各アレイベース１６上に配線基板２２を同じ向き並べて形成される。また各光源アレイ７のうち、第１行目、第３行目、第５行目、・・・第１１行目の奇数行目の光源アレイ７は、各配線基板２２がそれぞれ入力用コネクタ１８及び出力用コネクタ１９を実装した一側部が下向きになるように各光源装置２０が配置される。一方、第２行目、第４行目、第６行目、・・・第１２行目の偶数行目の光源アレイ７は、各配線基板２２がそれぞれ入力用コネクタ１８及び出力用コネクタ１９を実装した一側部が上向きになるように各光源装置２０が配置される。
【００５２】
すなわち、各光源アレイ７は、一の光源装置２０に対して、それにＹ方向において隣接する他の光源装置２０が、ＸＹ平面において１８０度反転した状態となるように設けられている。したがって、一の光源装置２０の入力用コネクタ１８と、それにＹ方向において隣接する他の光源装置２０の出力用コネクタとが対向し、一の光源装置２０の出力用コネクタ１９と他の光源装置２０の入力用コネクタ１８とが対向することとなる。これにより、行の異なる各光源装置２０間で最短の配線を行うことができる。
【００５３】
また、図４に示すように、各光源装置２０の上記２つの緑色ＬＥＤ２１ｃ（Ｇ１）及び２１ｄ（Ｇ２）は、互いに色度が異なり、両者の平均色度が所定の色度となるように構成されている。すなわち、平均色度が所定の色度になりさえすれば、どのような色度の緑色ＬＥＤでも組み合わせることができる。このように構成することで、各色ＬＥＤの中でも特に大きい緑色ＬＥＤのばらつきを吸収することができる。
【００５４】
そして、各緑色ＬＥＤ２１ｃ及び２１ｄ（Ｇ１及びＧ２）は、それぞれＸ方向に沿ってジグザグ状となるように配置されている。すなわち、各ＬＥＤユニット２５において各緑色ＬＥＤ２１ｃ及び２１ｄは上下の位置がＸ方向に行くにしたがって交互に入れ替わっている。
【００５５】
上述したように、バックライト装置１０においては、Ｙ方向において隣接する各光源装置２０が１８０度反転して配置されることから、仮に、色度の異なる各緑色ＬＥＤ２１ｃ及び２１ｄをＸ方向に沿って直線状に配置すると、Ｙ方向において隣接する光源装置２０間で、同一の色度を有する緑色ＬＥＤ２１ｃ同士及び２１ｄ同士（Ｇ１同士及びＧ２同士）が近接してしまい、これにより色むら及び輝度むらが生じてしまう。しかしながら、本実施形態のように緑色ＬＥＤ２１ｃ及び２１ｄをそれぞれジグザグ状に配置することで、Ｙ方向で隣接する光源装置２０間でＧ１同士及びＧ２同士の距離が近接することなく均一に配置されることとなるため、色むら及び輝度むら発生を抑えることができる。
【００５６】
なお、上記緑色ＬＥＤ２１ｃ及び２１ｄには、色度のみならず輝度も異なるものを採用しても構わない。この場合、緑色ＬＥＤ２１ｃ及び２１ｄの平均輝度が所定の輝度となりさえすればどのような輝度の緑色ＬＥＤでも組み合わせることができる。
【００５７】
また、ＬＥＤユニット２５に、緑色ＬＥＤ２１ｃ及び２１ｄのみならず、赤色ＬＥＤ２１ａまたは青色ＬＥＤ２１ｂも複数実装して、その複数の赤色ＬＥＤ２１ａまたは青色ＬＥＤ２１ｂの平均色度（または平均色度）が所定の色度（または輝度）となるようにしても構わない。
【００５８】
図２及び図３に示すように、各光源アレイ７の上方（Ｚ方向）には、それら光源アレイ７を全て覆うように、反射板６が設けられている。この反射板６は、例えばアルミプレートやステンレスプレートを基材として、その表面に蛍光材を含有した発泡性ＰＥＴ（Polyethylene terephthalate）等からなる反射材を接合して形成される。光源装置２０の各ＬＥＤユニット２５から出射された光のうち、上記拡散板５で反射された光はこの反射板６で反射され、再び拡散板５へ入射する。各色のＬＥＤ２１からの出射光を拡散板５と反射板６との間で反復反射させることで、増反射原理による反射率及び混色性の向上が図られている。
【００５９】
反射板６は、平面部６ａと、この平面部６ａと略平行に反射板６の周縁に形成されたエッジ部６ｃと、平面部６ａとエッジ部６ｃとの間（平面部６ａの周囲）に、拡散板５側から光源装置２０側にかけて形成された傾斜部６ｂとからなる。平面部６ａには、各ＬＥＤユニット２５の各ＬＥＤの数及び形状に合わせて複数（１１５２個）の円形の開口６ｄが設けられており、反射板６は、当該開口６ｄから各ＬＥＤ２１を貫通させるようにして、各光源アレイ７のアレイベース１６の上面に平面部６ａが例えば接着等により固定されるように設けられる。
【００６０】
図４に示すように、各開口６ｄは、その径ｄ２（及び外周長）が、各ＬＥＤ２１の各樹脂ホルダのＸＹ平面における径ｄ１（及び外周長）に比べて一回り大きく形成されている。これにより、各ＬＥＤ２１と各開口６ｄとの間にクリアランス７１が形成されるため、各ＬＥＤ２１の寸法公差や、各ＬＥＤ２１を各配線基板２２に実装する場合の実装精度等のばらつきを吸収して、反射板６を容易に組み付けることができる。また、上述したように反射板６は全ての光源装置２０を覆うように一枚のみ設けられ、またアルミ等の可撓性材料で設けられるため、その組み付け時には、バックライト装置１０の中央部に向かって撓んでしまい、上記各開口６ｄと各ＬＥＤ２１との間に位置ずれが生じる場合も考えられるが、上記クリアランス７１により、その撓みにも対応して反射板６を容易に組み付けることができる。なお、このクリアランス７１のＸＹ平面における幅ｃは例えば１ｍｍ〜２ｍｍ程度であるが、これに限られるものではない。
【００６１】
また、反射板６は、上述したように、エッジ部６ｃが、拡散板５と、バックシャーシ８に設けられたブラケット部材１５との間に介挿されることによって保持される。更に反射板６は、後述する光学スタッド１７によっても保持される。
【００６２】
図２及び図３に示すように、拡散板５と反射板６との間には、複数個の光学スタッド１７が設けられている。図２に示すように、光学スタッド１７は、突起部１７ａ、基底部１７ｃ及びそれらを繋ぐ軸部１７ｂで構成され、例えばバックシャーシ８の凹部８ｂと反射板６に設けられた嵌合孔（図示せず）を軸部１７ｂが貫通して、凹部８ｂ及び反射板６を突起部１７ａと基底部１７ｃとが挟み込むように固定される。光学スタッド１７は、例えばポリカーボネート樹脂等の、導光性と機械的剛性及びある程度の弾性を有する乳白色の合成樹脂材によって一体に成形される。光学スタッド１７を設けることで、拡散板５の底面が光学スタッド１７の突起部１７ａの先端に突き当てられるように保持され、拡散板５と反射板６との間隔及び平行度が保持されるため、拡散板５や反射板６の撓み等による色むら等の発生が防止される。
【００６３】
この光学スタッド１７は、図３に示すように、バックライト装置１０の全面に亘って複数設けられる。光学スタッド１７は、例えば、３行分のＬＥＤユニット２５が設けられる毎にＹ方向に所定間隔を置いて３つまたは４つ設けられ、バックライト装置１０の中心部においてはＹ方向に所定間隔を置いて５つ設けられ、バックライト装置１０全体では計２７個設けられる。この数はもちろん適宜変更可能である。また、この光学スタッド１７は、互いに隣接する４つのＬＥＤユニット２５から略等しい距離となる位置に設けられる。仮に、Ｘ方向またはＹ方向において隣接する２つのＬＥＤユニット２５の中間の位置に光学スタッド１７を設けた場合、光学スタッド１７によりその２つのＬＥＤユニット２５間で各出射光の混色が妨げられて、赤色、青色、緑色のいずれかの色による色むらや輝度むらが発生してしまう。しかしながら、本実施形態においては、上述のように４つのＬＥＤユニット２５の略中央に光学スタッド１７を設けることで、この色むらや輝度むらの発生を抑えて高品位な液晶表示装置を提供することができる。
【００６４】
上述したように、反射板６は、ＬＥＤ２１を開口６ｄに貫通させて反射板６の表面に露出させるようにして設けられているが、このように設けると、各配線基板２２上に設けられた入力用コネクタ１８及び出力用コネクタ１９と反射板６が干渉してしまうため、反射板６には、この入力用コネクタ１８及び出力用コネクタ１９を貫通させて反射板６の表面に露出させるための開口（図示せず）も設ける必要がある。しかしながら、ＬＥＤ２１から出射された光がこの開口部分や入力用コネクタ１８及び出力用コネクタ１９に当たると、光が拡散板５側へ反射せずに損失してしまい、結果としてバックライト装置１０の輝度の減少を招き、局所的な輝度むらが生じてしまう。
【００６５】
そこで、本実施形態においては、図３に示すように、露出した入力用コネクタ１８及び出力用コネクタ１９を覆うように反射板６に反射シート３１を貼付している。この反射シート３１は、反射板６と同様に例えば発泡性ＰＥＴ等の反射性材料からなる。これにより、反射板６に入力用コネクタ１８及び出力用コネクタ１９のための開口を設ける必要がある場合でも、光の損失をなくして高輝度で輝度むらの小さいバックライト装置１０を提供することができる。
【００６６】
また、配線基板２２上には、コネクタ以外にも、光源装置２０をバックシャーシ８に固定するためのビスも設けられており、反射板６には、このビスを貫通させて露出さえるための開口も設ける必要がある。これによっても、同様に光の損失の問題が生じる。そこで、反射板６上に、上記反射シート３１と同様に、ビスを覆う反射シート（図示せず）を設けるようにしても構わない。
【００６７】
なお、上記反射シート３１を設ける代わりに、入力用コネクタ１８及び出力用コネクタ１９やビス自体に高反射材料を採用しても構わない。また、反射シート３１を設ける代わりに、入力用コネクタ１８及び出力用コネクタ１９と開口との隙間を極力小さくして、入力用コネクタ１８及び出力用コネクタ１９やそれらの配線と反射板６とが干渉する場合には、反射板６にフラップ（切れこみ）をつけて、そのフラップ部分を浮かせるようにして干渉を防ぎながら、そのフラップ部分に光を反射させることで光の損失を防ぐようにしても構わない。
【００６８】
ところで、本実施形態のように、バックライト装置１０の光源としてＬＥＤユニット２５を採用した場合、ＬＥＤユニット２５を点灯し続けると、時間の経過とともに光源装置２０のバックシャーシ８等の温度が、例えば室温に対して約３０℃上昇する。これに伴い、フロントシャーシ１、ミドルフレーム３等を介して、液晶パネル２の温度も、例えば室温に対して約２０℃上昇する。その結果、フロントシャーシ１、ミドルフレーム３に保持されている液晶パネル２の周縁部と、該周縁部から離れた液晶パネル２の中央部分との間に温度差が生じる。これにより、液晶が封入されているガラス基板に応力が発生し、ガラス基板の屈折率が変わり偏光特性が変わる現象が発生する。特に黒画面では、偏光特性が白く見える方向に変化し、これが輝度むらとなってしまう。
【００６９】
そこで、本実施形態においては、図３に示すように、反射板６の平面部６ａの四隅に例えば二等辺三角形状の黒色シート５１を貼付し、反射板６の四隅における反射率を低下させ、輝度むらを改善している。なお、この黒色シート５１の形状は、二等辺三角形状に限られるものではなく、例えばＬ字状等の他の形状にしてもよい。また、この黒色シート５１は、反射板６の平面部６ａの四隅ではなく傾斜部６ｂの四隅に設けられていてもよい。更に、黒色テープ５１を貼付する代わりに、黒色塗装または黒色印刷の処理を施してもよい。すなわち、反射板６の四隅の反射率を低下させる処理を施せればよい。
【００７０】
次に、上記液晶表示装置１００の駆動回路について簡単に説明する。図５は、その駆動回路を示したブロック図である。
【００７１】
同図に示すように、液晶表示装置１００は、映像を表示する上記液晶パネル２、該液晶パネル２の背面側に配置されたバックライト装置１０、該バックライト装置１０及び液晶パネル２に対して各種の制御を行う制御部４０、及び該制御部４０がアクセス可能なメモリ３６を備えている。制御部４０は、映像信号を検出する映像信号検出回路３９と、バックライト装置１０の点灯を制御するバックライト点灯制御回路３５と、液晶パネル２の駆動を制御する液晶パネル制御回路３４とを備えている。
【００７２】
液晶パネル２は、該液晶パネル２に対して駆動信号を送出するためのソースドライバ３７及びゲートドライバ３８を有している。また、上述したように液晶パネル２には、図示しない３原色（ＲＧＢ）のカラーフィルタが搭載されており、１つの画素が３つのＲＧＢに対応したサブ画素で構成されている。当該カラーフィルタの構成として、ＲＧＢ以外の色、例えばエメラルド、またはシアン等の色も含む４原色以上の構成であってもよい。
【００７３】
映像信号検出回路３９により検出された映像信号は、液晶パネル制御回路３４によりメモリ３６を介して所定のタイミングでソースドライバ３７及びゲートドライバ３８へ供給され、両ドライバの制御により液晶パネル２が駆動されることで映像が表示される。一方でバックライト点灯制御回路３５は、バックライト点灯信号を生成してバックライト装置１０の各光源装置２０の各ＬＥＤ２１を駆動する。
【００７４】
本発明は上述の実施形態にのみ限定されるものではなく、本発明の要旨を逸脱しない範囲内において種々変更を加え得ることは勿論である。
【００７５】
上述の実施形態において、上記ミドルフレーム３の内面には段差部１３を形成していたが、段差部ではなく、液晶パネル２側から光学シート積層体４側へ向かうテーパ部（斜面）を形成しても構わない。図７は、このようにミドルフレーム３の内面をテーパ部として形成した液晶表示装置２００の一部断面図である。なお、同図において上記図２と同様の構成となる部分については同一の符号を付し、説明を省略する。
【００７６】
同図に示すように、ミドルフレーム３には、上面３ａの開口４１から下面３ｂの開口４２にかけて、ミドルフレーム３の断面積が徐々に小さくなるようなテーパ部６３が形成されている。すなわち、テーパ部６３は、観察者の斜めの観察角度に沿って、上面３ａから下面３ｂに向かって徐々に広がるように形成される。そして、テーパ部６３の表面には上述の実施形態と同様の黒色テープ１４が貼付されている。
【００７７】
以上の構成によっても、テーパ部６３からの反射光が光学シート積層体４に当たりハレーションが発生するのを防止することができる。
【００７８】
また、上記テーパ部６３は、図６に示したような平面状のみならず曲面状に形成しても構わない。
【００７９】
上述の実施形態においては、ミドルフレーム３の段差部１３またはテーパ部６３に黒色テープ１４を貼付していたが、黒色テープ１４を貼付する代わりに、ミドルフレーム３の段差部１３またはテーパ部６３を黒色に塗装処理してもよい。上述の実施形態のように、ミドルフレーム３がアルミニウム製である場合には、黒アルマイト加工するのが好ましい。
【００８０】
また、上述の実施形態においては、液晶表示装置１００が大型化した場合の強度や熱膨張率差等の影響を考慮してミドルフレーム３を金属製（アルミニウム製）としているが、それらの影響が解決できればミドルフレーム３自体を黒色樹脂で成形しても構わない。
【００８１】
更に、上記段差部１３またはテーパ部６３に、光を拡散させるような凹凸を設けた上で、上記黒色テープ１４の貼付や黒色塗装処理を行ってもよい。また上記黒色樹脂に凹凸を設けてもよい。更に黒色テープ１４自体に凹凸を有するものを用いてもよい。これにより、仮に黒色テープ１４や黒色塗装部分及び黒色樹脂により吸収しきれなかった光がある場合でも、その光を光学シート積層体４以外の方向へ拡散することで、上記ハレーションの発生を防止することができる。
【００８２】
上述の実施形態においては、バックライト装置１０の光源としてＬＥＤ２１を用いた例を示したが、例えばＣＣＦＬ等の他の光源を用いた場合でも本発明を適用することができる。
【図面の簡単な説明】
【００８３】
【図１】本発明の一実施形態に係るバックライト装置を有する液晶表示装置の概略分解斜視図である。
【図２】図１の液晶表示装置のＺ方向の一部断面図である。
【図３】本発明の一実施形態に係るバックライト装置の構成を示す一部切り欠き平面図である。
【図４】本発明の一実施形態に係るバックライト装置の、上記図３の破線Ａで囲んだ部分の拡大図である。
【図５】本発明の一実施形態において、ミドルフレーム３の構造に起因する光学シート積層体４におけるハレーションを防止するための対策について検討したシミュレーション結果を示した図である。
【図６】本発明の一実施形態における液晶表示装置の駆動回路を示したブロック図である。
【図７】本発明の他の実施形態における液晶表示装置の一部断面図である。
【符号の説明】
【００８４】
１…フロントシャーシ
２…液晶パネル
３…ミドルフレーム
３ａ…上面
３ｂ…下面
４…光学シート積層体
５…拡散板
６…反射板
６ｄ…開口
７…光源アレイ
８…バックシャーシ
１０…バックライト装置
１３…段差部
１３ａ…平面部
１３ｂ、１３ｃ…側面部
１４…黒色テープ
１６…アレイベース
１７…光学スタッド
１８…入力用コネクタ
１９…出力用コネクタ
２０…光源装置
２１…ＬＥＤ
２１ａ…赤色ＬＥＤ
２１ｂ…青色ＬＥＤ
２１ｃ、２１ｄ…緑色ＬＥＤ
２２…配線基板
２３…粘着材
２５…ＬＥＤユニット
３１…反射シート
４１、４２…開口
６１…白色ソルダーレジスト
６３…テーパ部
７１…クリアランス
１００、２００…液晶表示装置
【図１】
2008145655.tif 000003
【図２】
2008145655.tif 000004
【図３】
2008145655.tif 000005
【図４】
2008145655.tif 000006
【図６】
2008145655.tif 000007
【図７】
2008145655.tif 000008
【図５】
2008145655.tif 000009